(57)【要約】【課題】高度な監視業務に供し得る監視画像蓄積装置を提供すること。【解決手段】画像データを蓄積する監視画像蓄積方法において、予め前記画像データの蓄積時からの複数の経過時間を設定し、当該経過時間に至ったときに当該画像データを間引くことにより画像データの圧縮を行い、次の経過時間に至ったときに当該圧縮した画像データを間引くことにより更に画像データの圧縮を行って当該圧縮した画像データを蓄積することを特徴とする。【選択図】    図２
2004159179.tif 000002
【特許請求の範囲】
【請求項１】
画像データを蓄積する監視画像蓄積方法において、予め前記画像データの蓄積時からの複数の経過時間を設定し、当該経過時間に至ったときに当該画像データを間引くことにより画像データの圧縮を行い、
次の経過時間に至ったときに当該圧縮した画像データを間引くことにより更に画像データの圧縮を行って当該圧縮した画像データを蓄積することを特徴とする監視画像蓄積方法。
【請求項２】
収集した画像データを保持する画像保持手段と、
前記画像データの蓄積時からの複数の経過時間を設定するタイマーと、
前記タイマーにより経過時間に至ったときに当該画像データを間引くことにより画像データの圧縮を行い、前記タイマーにより次の経過時間に至ったときに当該圧縮した画像データを間引くことにより更に画像データの圧縮を行う画像処理手段と
を具備することを特徴とする監視画像蓄積装置。
【請求項３】
画像データを蓄積する監視画像蓄積方法において、予め前記画像データの蓄積時からの経過時間を設定し、当該経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行って当該圧縮した画像データを蓄積することを特徴とする監視画像蓄積方法。
【請求項４】
収集した画像データを保持する画像保持手段と、
前記画像データの蓄積時からの複数の経過時間を設定するタイマーと、
前記タイマーにより経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行う画像処理手段と
を具備することを特徴とする監視画像蓄積装置。
【請求項５】
画像データを蓄積する監視画像蓄積方法において、予め前記画像データの蓄積時からの複数の経過時間を設定し、当該経過時間に至ったときに当該画像データを間引くことにより画像データの圧縮を行い、
次の経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行って当該圧縮した画像データを蓄積することを特徴とする監視画像蓄積方法。
【請求項６】
収集した画像データを保持する画像保持手段と、
前記画像データの蓄積時からの複数の経過時間を設定するタイマーと、
前記タイマーにより経過時間に至ったときに当該画像データを間引くことにより画像データの圧縮を行い、次の経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行う画像処理手段と
を具備することを特徴とする監視画像蓄積装置。
【発明の詳細な説明】
【０００１】
【発明の属する技術分野】
本発明は、プラント、設備等を監視する監視システムに適用される監視画像蓄積方法及び装置に関する。
【０００２】
【従来の技術】
監視システムによる監視情報には、電流や温度等のプラント状態を示す信号と共に静止画像、動画像等があり、これら情報は定時監視、短周期監視、長周期監視等に供されている。従って、監視システムとしては、監視情報の収集のみならず蓄積も必要とする。
【０００３】
かかる監視システムに適用される監視画像蓄積装置おいて、監視情報としてＭｏｔｉｏｎ  ＪＰＥＧ等のデジタル画像を蓄積する装置の場合、蓄積容量の関係から一定時間経過後の蓄積データは、一括削除することが行われていた。
【０００４】
また、上述した時間経過後の一括削除に代えて部分削除するものが知られている（例えば、特許文献１参照。）。
【０００５】
【特許文献１】
特開平１０−２６０８７５号公報（第２頁−第４頁、図２、図８）
【０００６】
【発明が解決しようとする課題】
しかし、上述した従来の監視画像蓄積装置のように一定時間経過後の蓄積データを一括削除又は部分削除等をすることは、時間が長い経時変化のような長周期監視を損なうものであり、このため、監視システムとしては高度な監視を行えない、という問題があった。
【０００７】
本発明の目的は、高度な監視業務に供し得る監視画像蓄積方法及び装置を提供することにある。
【０００８】
【課題を解決するための手段】
請求項１に係る発明は、画像データを蓄積する監視画像蓄積方法において、予め前記画像データの蓄積時からの複数の経過時間を設定し、当該経過時間に至ったときに当該画像データを間引くことにより画像データの圧縮を行い、
次の経過時間に至ったときに当該圧縮した画像データを間引くことにより更に画像データの圧縮を行って当該圧縮した画像データを蓄積することを特徴とする監視画像蓄積方法、である。
【０００９】
請求項２に係る発明は、収集した画像データを保持する画像保持手段と、
前記画像データの蓄積時からの複数の経過時間を設定するタイマーと、
前記タイマーにより経過時間に至ったときに当該画像データを間引くことにより画像データの圧縮を行い、前記タイマーにより次の経過時間に至ったときに当該圧縮した画像データを間引くことにより更に画像データの圧縮を行う画像処理手段と
を具備することを特徴とする監視画像蓄積装置、である。
【００１０】
請求項１又は２の発明によれば、時間経過毎に、間引きによる画像データの圧縮を行うので、蓄積容量の増大を招くことなく、長周期監視に用いる画像データを蓄積することが可能となり、監視システムとしては高度な監視を行うことができる。
【００１１】
請求項３に係る発明は、画像データを蓄積する監視画像蓄積方法において、予め前記画像データの蓄積時からの経過時間を設定し、当該経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行って当該圧縮した画像データを蓄積することを特徴とする監視画像蓄積方法、である。
【００１２】
請求項４に係る発明は、収集した画像データを保持する画像保持手段と、
前記画像データの蓄積時からの複数の経過時間を設定するタイマーと、
前記タイマーにより経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行う画像処理手段と
を具備することを特徴とする監視画像蓄積装置、である。
【００１３】
請求項３又は４の発明によれば、時間経過にて、差分が一定量を超えた画像データを残し、差分が一定量を超えないものは前の画像データとほぼ同じであることを示すデータに置き換えることによる画像データの圧縮を行うので、蓄積容量の増大を招くことなく、長周期監視に用いる画像データを蓄積することが可能となり、監視システムとしては高度な監視を行うことができる。
【００１４】
請求項５に係る発明は、画像データを蓄積する監視画像蓄積方法において、予め前記画像データの蓄積時からの複数の経過時間を設定し、当該経過時間に至ったときに当該画像データを間引くことにより画像データの圧縮を行い、
次の経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行って当該圧縮した画像データを蓄積することを特徴とする監視画像蓄積方法、である。
【００１５】
請求項６に係る発明は、収集した画像データを保持する画像保持手段と、
前記画像データの蓄積時からの複数の経過時間を設定するタイマーと、
前記タイマーにより経過時間に至ったときに当該画像データを間引くことにより画像データの圧縮を行い、次の経過時間に至ったときに当該画像データの前後の差分をとり、該差分が一定量を超えた画像データを残し、差分が一定量を超えないものは前の画像データとほぼ同じであることを示すデータに置き換えることにより画像データの圧縮を行う画像処理手段と
を具備することを特徴とする監視画像蓄積装置、である。
【００１６】
請求項５又は６の発明によれば、時間経過にて、間引きによる画像データの圧縮い、また次の時間経過では画像データの前後の差分をとり、該差分が一定量を超えた画像データを残し、差分が一定量を超えないものは前の画像データとほぼ同じであることを示すデータに置き換えを行うことによる画像圧縮を行うので、蓄積容量の増大を招くことなく、長周期監視に用いる画像データを蓄積することが可能となり、監視システムとしては高度な監視を行うことができる。
【００１７】
【発明の実施の形態】
以下、本発明の実施形態を図面を参照して説明する。
【００１８】
（第１実施形態）
第１実施形態の監視画像蓄積装置２０を、監視システムとの関係で説明する。
【００１９】
図１に示すように、監視システムは、ＴＶカメラ１０、本実施形態の監視画像蓄積装置２０と、監視装置３０とからなる。
【００２０】
ＴＶカメラ１０は、プラント、設備等の監視対象の画像データとしてＭｏｔｉｏｎ  ＪＰＥＧ等を監視画像蓄積装置２０に出力するものである。
【００２１】
本実施形態の監視画像蓄積装置２０は、画像処理器２１と、データベース２２と、タイマ２３とを有し、図２及び図３に示す第１実施形態の蓄積方法、図４及び図５に示す第２実施形態の蓄積方法、図６及び図７に示す第３実施形態の蓄積方法を実施するものとなっている。
【００２２】
監視装置３０は、電流や温度等のプラント状態を示す監視信号と共に監視画像蓄積装置２０からの画像データを監視情報として取り込み、定時監視、短周期監視、長周期監視等を行う。
【００２３】
次に、図２及び図３を参照して第１実施形態の蓄積方法を説明する。先ず、図３に示すように、ＴＶカメラ１０からの画像データは３０コマ／秒で収集され、経時的にデータベース２２に保持される。１時間分のデータは、３０×６０＝１８００コマとなる。
【００２４】
第１実施形態の方法では、ある時間からある時間までに収集してデータベース２２に蓄積された画像データについて、図２のステップＳ１１としてタイマー２３により時間Ｔ１、例えば２４時間経過したことを検知し、このときに画像処理器２１によって、３０コマ／秒で収集されたデータを、図３に示すように、第１の間引処理として１コマ／秒に間引いて１／３０の画像圧縮を行うものであり（ステップＳ１２）、この圧縮画像データをデータベース２２に格納する（ステップＳ１４）。この圧縮画像データは、１×６０×６０×２４＝８６４００コマである。画像を圧縮しないと３０×６０×６０×２４＝２５９２０００コマである。
【００２５】
さらにタイマー２３により時間Ｔ２、例えば１週間経過したことを検知すると（ステップＳ１１）、このときに画像処理器２１によって、１コマ／秒で収集されたデータを、図３に示すように、１コマ／分に間引いて１／６０の画像圧縮を行うものであり（ステップＳ１３）、この圧縮画像データをデータベース２２に格納する（ステップＳ１４）。この圧縮画像データは、１×１×６０×２４＝１４４０コマであり、１／６０の画像圧縮しないと、１×６０×６０×２４＝８６４００コマである。
【００２６】
本実施形態の画像圧縮を行わない場合は、ＴＶカメラ１０からの画像データは３０コマ／秒で収集され、蓄積されるので、
１週間では、３０×６０×６０×２４×７コマとなる。
【００２７】
これに対し、本実施形態の方法では、２４時間経過で１／３０の画像圧縮を行い、１週間経過で１／６０の画像圧縮を行うことで、
１×１×６０×２４×７コマとなる。
【００２８】
よって、本実施形態の画像圧縮を行わない場合と本実施形態の方法とを比較すると、保持容量は１週間経過で１／（３０×６０）＝１／１８００となる。
【００２９】
このように本実施形態の方法によければ、１週間のデータを１／１８００とすることができるので、データベース２２の容量の節減が可能であり、一定の容量のデータベース２２であれば、より長期の画像データを蓄積することが可能となり、長周期監視に用いる画像データを蓄積することが可能となり、プラント、設備等の監視対象を監視システムにより高度に監視することが可能となる。
【００３０】
（第２実施形態）
次に、図４及び図５を参照して第２実施形態の蓄積方法を説明する。先ず、図５に示すように、ＴＶカメラ１０からの画像データは３０コマ／秒で収集され、経時的にデータベース２２に保持される。１時間分のデータは、３０×６０＝１８００コマとなる。
【００３１】
第２実施形態の方法では、ある時間からある時間までに収集してデータベース２２に蓄積された画像データについて、図４のステップＳ２１としてタイマー２３により所定時間、例えば２４時間経過したことを検知し、このときに画像処理器２１によって、３０コマ／秒で収集されたデータを、図５に示すように、画像データの前後の差分を計算し（ステップＳ２２）、差分が予め定めた閾値より小さいときに（ステップＳ２３）、「前データとほぼ同じ」というデータに置き換えて（ステップＳ２４）、差分が予め定めた閾値より大きいときにこの画像データと先の「前データとほぼ同じ」というデータとを合成し（ステップＳ２５）、これをデータベース２２に格納する（ステップＳ２６）。
【００３２】
このように、本実施形態の画像圧縮を行わない場合は、ＴＶカメラ１０からの画像データは３０コマ／秒で収集され、そのまま蓄積されるが、本実施形態の方法では、２４時間経過で画像データの前後の差分を計算し、差分が予め定めた閾値より大きいときのデータと、差分が予め定めた閾値よりさい小さいときの「前データとほぼ同じというデータ」とを合成するものとしているので、プラント、設備等の監視対象が時間経過と共に変化が少ない場合、つまり、「前データとほぼ同じというデータ」が多い場合は、データベース２２の容量の節減が可能であり、一定の容量のデータベース２２であれば、より長期の画像データを蓄積することが可能となり、長周期監視に用いる画像データを蓄積することが可能となり、プラント、設備等の監視対象を監視システムにより高度に監視することが可能となる。
【００３３】
（第３実施形態）
次に、図６及び図７を参照して第３実施形態の蓄積方法を説明する。先ず、図７に示すように、ＴＶカメラ１０からの画像データは３０コマ／秒で収集され、経時的にデータベース２２に保持される。１時間分のデータは、３０×６０＝１８００コマとなる。
【００３４】
第３実施形態の方法では、ある時間からある時間までに収集してデータベース２２に蓄積された画像データについて、図６のステップＳ１１としてタイマー２３により時間Ｔ１、例えば２４時間経過したことを検知し、このときに画像処理器２１によって、３０コマ／秒で収集されたデータを、図７に示すように、第１の方法と同様に第１の間引処理として１コマ／秒に間引いて１／３０の画像圧縮を行うものであり（ステップＳ３２）、この圧縮画像データをデータベース２２に格納する（ステップＳ３７）。この圧縮画像データは、１×６０×６０×２４＝８６４００コマである。画像を圧縮しないと３０×６０×６０×２４＝２５９２０００コマである。
【００３５】
さらにタイマー２３により時間Ｔ２、例えば１週間経過したことを検知すると（ステップＳ１１）、このときに画像処理器２１によって、１コマ／秒で収集されたデータを、第２の方法と同じ置き換え処理を行う。すなわち画像処理器２１によって、３０コマ／秒で収集されたデータを、図７に示すように、画像データの前後の差分を計算し（ステップＳ３３）、差分が予め定めた閾値より小さいときに（ステップＳ３４）、「前データとほぼ同じ」というデータに置き換えて（ステップＳ３５）、差分が予め定めた閾値より大きいときにこの画像データと先の「前データとほぼ同じ」というデータとを合成し（ステップＳ３６）、これをデータベース２２に格納する（ステップＳ３７）。
【００３６】
このように本実施形態の方法によければ、２４時間のデータを１／３０に圧縮し、その後に一週間経過で画像データの前後の差分を計算し、差分が予め定めた閾値より大きいときのデータと、差分が予め定めた閾値よりさい小さいときの「前データとほぼ同じというデータ」とを合成するものとしているので、プラント、設備等の監視対象が時間経過と共に変化が少ない場合、つまり、「前データとほぼ同じというデータ」が多い場合は、データベース２２の容量の節減が可能であり、一定の容量のデータベース２２であれば、より長期の画像データを蓄積することが可能となり、長周期監視に用いる画像データを蓄積することが可能となり、プラント、設備等の監視対象を監視システムにより高度に監視することが可能となる。
【００３７】
【発明の効果】
以上述べたように本発明によれば、蓄積容量の増大を招くことなく、長周期監視に用いる画像データを蓄積することが可能となり、監視システムとしては高度な監視を行うことが可能な監視画像蓄積装置を提供できるものである。
【図面の簡単な説明】
【図１】本発明の第１実施形態に係る監視画像蓄積装置を監視システムとの関係で示すブロック図。
【図２】同実施形態に係る監視画像蓄積方法を示すフロー図。
【図３】同実施形態に係る監視画像蓄積方法を説明する模式図。
【図４】本発明の第２実施形態に係る監視画像蓄積方法を示すフロー図。
【図５】同実施形態に係る監視画像蓄積方法を説明する模式図。
【図６】本発明の第３実施形態に係る監視画像蓄積方法を示すフロー図。
【図７】同実施形態に係る監視画像蓄積方法を説明する模式図。
【符号の説明】
１０…ＴＶカメラ
２０…監視画像蓄積装置
２１…画像処理器
２２…タイマ
２３…データベース
３０…監視装置
【図１】
2004159179.tif 000003
【図２】
2004159179.tif 000004
【図３】
2004159179.tif 000005
【図４】
2004159179.tif 000006
【図５】
2004159179.tif 000007
【図６】
2004159179.tif 000008
【図７】
2004159179.tif 000009